(57)【特許請求の範囲】
【請求項１】
直流電源からの直流電流によりコンデンサを充電し、そのコンデンサに充電電圧を保持する直流電源保持回路において、
第１の入力端子に供給される電圧と、第２の入力端子に供給される電圧とを大小比較する電圧比較手段と、
オン時に前記直流電源の正側端子を前記電圧比較手段の第１の入力端子と負荷の一端にそれぞれ接続し、オフ時にその接続を開放する第１のスイッチと、
オン時に前記直流電源の負側端子を前記コンデンサの一端と前記負荷の他端にそれぞれ接続し、オフ時にその接続を開放する第２のスイッチと、
前記第１のスイッチ、前記電圧比較手段の前記第１の入力端子及び前記負荷の一端の共通接続点に第１の端子が接続され、かつ、前記コンデンサの他端に第２の端子が接続され、前記電圧比較手段の出力信号が制御端子に供給され、その制御端子に供給される信号によりスイッチング制御され、前記第１の端子と前記第２の端子との間の抵抗が可変制御される半導体スイッチング素子と、
前記半導体スイッチング素子の前記第１の端子に一端が接続され、前記半導体スイッチング素子の前記第２の端子と前記コンデンサの他端との共通接続点に他端が接続された充電電流制限用抵抗と、
を有し、前記第１及び第２のスイッチをそれぞれオンとし、前記電圧比較手段により前記第１のスイッチを介して供給される前記直流電源からの給電電圧と前記コンデンサを介して供給される前記コンデンサの充電電圧とを大小比較し、前記電圧比較手段から前記給電電圧が前記充電電圧より大なる比較結果が得られたときは前記半導体スイッチング素子をオフにスイッチング制御して前記直流電源から充電電流を前記充電電流制限用抵抗を介して前記コンデンサに供給して、そのコンデンサを充電し、前記電圧比較手段により前記給電電圧が前記充電電圧以下の比較結果が得られたときは前記半導体スイッチング素子をオンにスイッチング制御して前記充電電流制限用抵抗をバイパスし、かつ、前記コンデンサを充放電制御して前記充電電圧を前記給電電圧と等しくなるように保持することを特徴とする直流電源保持回路。
【請求項２】
前記半導体スイッチング素子は、前記第１の端子と前記第２の端子との間の抵抗がドレイン・ソース間抵抗であり、前記制御端子がゲートである電界効果トランジスタであり、前記充電電流制限用抵抗は前記電界効果トランジスタのドレイン・ソース間に接続されていることを特徴とする請求項１記載の直流電源保持回路。
【発明の詳細な説明】
【技術分野】
【０００１】
本発明は直流電源保持回路に係り、特にコンピュータ装置、その他電子装置に用いられる直流電源保持回路に関する。
【背景技術】
【０００２】
一般に、電源喪失時の電圧保持のため給電系に大容量コンデンサを接続するが、単純にコンデンサを接続した場合、電源投入時に過大な突入電流が発生することがあり、スイッチ等に負荷がかかり故障の原因となることがある。
【０００３】
そこで、上記のコンデンサへの突入電流を抑制する方法として抵抗、ダイオードを接続する直流電源供給装置が従来提案されている（例えば、特許文献１参照）。図２はこの従来の直流電源供給装置の一例の回路図を示す。同図において、直流電源１１が過電流防止用スイッチ１２、直流電源喪失時に直流電源１１への逆流を防止するためのダイオード１３、抵抗１４を介してコンデンサ１８に接続されている。コンデンサ１８は、直流電圧の平滑及び電源喪失時の電力を供給するためのコンデンサである。また、コンデンサ１８に並列に負荷１９が接続されており、また、抵抗１５及びダイオード１６の並列回路にコンデンサ１７が直列に接続された回路がコンデンサ１８に並列に接続されている。
【０００４】
この従来装置では、スイッチ１２を「閉」として電源を投入すると、コンデンサ１７及び１８に過渡電流が流れる。ここで、コンデンサ１７の容量値Ｃ１をコンデンサ１８の容量値Ｃ２より十分に大きいものとすると、コンデンサ１９への突入電流は短時間でゼロになり、一方、コンデンサ１７には抵抗１５により抑制された突入電流が流れて徐々に充電される。これにより、電源投入時の突入電流を小さく抑えることができる。
【０００５】
また、電源が喪失しても、ダイオード１３により直流電源１１と負荷１９とを分離し、コンデンサ１７に蓄積された電力をダイオード１６を通して所定時間、負荷１９に供給することができ、電源喪失時の給電を補助することができる。
【０００６】
【特許文献１】特開昭５７−１３２７３１号公報
【発明の開示】
【発明が解決しようとする課題】
【０００７】
しかるに、上記の従来の直流電源供給装置は、ダイオード１３、１６が一定の順方向降下電圧を持っているため、ダイオード自身での損失が大きく、ダイオード１３、１６を大きな発熱に耐え得る冷却機構を備えた大型のものにしなければならなくなると同時に、必要となるコンデンサ１７、１８の容量が増加してしまうため、回路が大規模になるという問題がある。
【０００８】
本発明は上記の点に鑑みなされたもので、回路規模の小さな直流電源保持回路を提供することを目的とする。
【課題を解決するための手段】
【０００９】
上記の目的を達成するため、本発明は、直流電源からの直流電流によりコンデンサを充電し、そのコンデンサに充電電圧を保持する直流電源保持回路において、第１の入力端子に供給される電圧と、第２の入力端子に供給される電圧とを大小比較する電圧比較手段と、オン時に直流電源の正側端子を電圧比較手段の第１の入力端子と負荷の一端にそれぞれ接続し、オフ時にその接続を開放する第１のスイッチと、オン時に直流電源の負側端子をコンデンサの一端と負荷の他端にそれぞれ接続し、オフ時にその接続を開放する第２のスイッチと、第１のスイッチ、電圧比較手段の第１の入力端子及び負荷の一端の共通接続点に第１の端子が接続され、かつ、コンデンサの他端に第２の端子が接続され、電圧比較手段の出力信号が制御端子に供給され、その制御端子に供給される信号によりスイッチング制御され、第１の端子と第２の端子との間の抵抗が可変制御される半導体スイッチング素子と、半導体スイッチング素子の第１の端子に一端が接続され、半導体スイッチング素子の第２の端子とコンデンサの他端との共通接続点に他端が接続された充電電流制限用抵抗と、を有し、第１及び第２のスイッチをそれぞれオンとし、電圧比較手段により第１のスイッチを介して供給される直流電源からの給電電圧とコンデンサを介して供給されるコンデンサの充電電圧とを大小比較し、電圧比較手段から給電電圧が充電電圧より大なる比較結果が得られたときは半導体スイッチング素子をオフにスイッチング制御して直流電源から充電電流を充電電流制限用抵抗を介してコンデンサに供給して、そのコンデンサを充電し、電圧比較手段により給電電圧が充電電圧以下の比較結果が得られたときは半導体スイッチング素子をオンにスイッチング制御して充電電流制限用抵抗をバイパスし、かつ、コンデンサを充放電制御して充電電圧を給電電圧と等しくなるように保持することを特徴とする。
【００１０】
この発明では、給電電圧とコンデンサの充電電圧との大小比較結果に応じて、半導体スイッチング素子をスイッチング制御するようにしたため、給電電圧低下時にはコンデンサの放電用の素子として半導体スイッチング素子を使用することができる。また、スイッチオン時には、半導体スイッチング素子がオフとなり、充電電流制限用抵抗を流れる充電電流によりコンデンサを充電するため、突入電流を制限できる。また、給電電圧が充電電圧以下のときは半導体スイッチング素子がオンとなるため、充電電流制限用抵抗をバイパスして、オン状態にある半導体スイッチング素子を通してコンデンサの放電電流を流すことができる。
【発明の効果】
【００１４】
本発明によれば、給電電圧がコンデンサの充電電圧よりも低下した時は、コンデンサからの放電電流を、充電電流制限用抵抗をバイパスして、オン状態にある半導体スイッチング素子を通して流すようにしたため、放電時の余分な電力損失が小さくなり、それによって必要となるコンデンサ容量を減らすことができるため、同機能を実現する従来回路よりも回路規模を小さくできる。
【発明を実施するための最良の形態】
【００１５】
次に、本発明の実施の形態について図面を参照して詳細に説明する。図１は本発明なる直流電源保持回路の一実施の形態の回路図を示す。同図において、直流電源１の正側端子は、スイッチ７を介して、電圧比較回路２の一方の入力端子、電界効果トランジスタ（ＦＥＴ）３のソース、抵抗４の一端、及び負荷６の一端にそれぞれ接続され、直流電源１の負側端子は、スイッチ８を介してコンデンサ５の一端と負荷６の他端とにそれぞれ接続されている。また、電圧比較回路２の他方の端子、ＦＥＴ３のドレイン及び抵抗４の他端は、コンデンサ５の他端にそれぞれ接続されている。
【００１６】
電圧比較回路２は、給電電圧Ｖａとコンデンサ５の充電電圧Ｖｂとを大小比較し、その比較結果に応じて異なる論理値の電圧をＦＥＴ３のゲートに印加して、ＦＥＴ３をスイッチング制御する。ここでは、Ｖａ＞Ｖｂの時はＦＥＴ３をオフ、Ｖａ≦Ｖｂの時はＦＥＴ３をオンとするように動作する。抵抗４はコンデンサ５への充電電流を制限するための抵抗であり、ＦＥＴ３のドレイン・ソース間に接続されているため、ＦＥＴ３がオン状態のときには、抵抗４がバイパスされる（すなわち、抵抗４を介してコンデンサ５に接続される給電ラインがバイパスされる。）。
【００１７】
次に、本実施の形態の動作について説明する。スイッチ７及びスイッチ８が投入されると、直流電源１からの直流電圧Ｖａが電圧比較回路２の一方の端子に印加されると共に、電源供給が開始されてから暫くの間はＶａ＞Ｖｂの状態となり、電圧比較回路２は第１の論理値の信号を出力してＦＥＴ３をオフとしているため、コンデンサ５は抵抗４により電流を制限されながら充電開始され、コンデンサ５の端子電圧である充電電圧Ｖｂは徐々に上昇していく。この電源投入時は直流電源１とコンデンサ５は高いインピーダンスで接続されているため、突入電流は発生しない。
【００１８】
コンデンサ５の充電が進み、充電電圧Ｖｂが給電電圧Ｖａに等しくなると、電圧比較回路２はそれまでと異なる第２の論理値の信号を出力してＦＥＴ３をオンとする。この結果、抵抗４を介してコンデンサ５に接続される給電ラインがバイパスされる。電源異常がなければこの状態が維持され、コンデンサ５の充電電圧が保持され、負荷６にはこの充電電圧が印加される。
【００１９】
他方、何らかの要因で直流電源１からの給電電圧Ｖａが低下した場合、あるいは喪失した場合、Ｖａ＜Ｖｂとなるため、電圧比較回路２は第２の論理値の信号を引き続き出力してＦＥＴ３をオンのままとし、この結果、コンデンサ５の充電電荷は、ＦＥＴ３のオン時のドレイン・ソース間抵抗を介して放電が開始される。
【００２０】
ＦＥＴ３として、上記のオン時のドレイン・ソース間抵抗が、所定値以下の十分に小さいものを選択することで、コンデンサ５の放電時のＦＥＴ３での電圧降下は小さく抑えることができるため、電力損失は従来よりも小さくて済む。なお、この場合、コンデンサ５の放電は、当該放電による充電電圧Ｖｂの低下によりＶａ＞Ｖｂとなり、ＦＥＴ３がオフとなるまで行われる。
【００２１】
このように、本実施の形態によれば、給電電圧Ｖａ低下時におけるコンデンサ５からの放電用の素子としてＦＥＴ３のオン時のドレイン・ソース間抵抗を使用するようにしているため、放電時の余分な電力損失が小さくなり、それによって必要となるコンデンサ５の容量を減らすことができ、同機能を実現する従来回路よりも回路規模を小さくできる。
【００２２】
なお、本発明は上記の実施の形態に限定されるものではなく、上記の実施の形態では半導体スイッチング素子としてＦＥＴ３を用いたが、これに限らず、例えばバイポーラトランジスタも原理的には使用可能である。この場合、充電電流制限用抵抗は、バイポーラトランジスタのコレクタ・エミッタ間に接続される。
【図面の簡単な説明】
【００２３】
【図１】本発明の直流電源保持回路の一実施の形態の回路図である。
【図２】従来の直流電源供給装置の一例の回路図である。
【符号の説明】
【００２４】
１  直流電源
２  電圧比較回路
３  電界効果トランジスタ（ＦＥＴ）
４  充電電流制限用抵抗
５  コンデンサ
６  負荷
７、８  スイッチ
【図１】
0004293197.tif 000002
【図２】
0004293197.tif 000003